(57)【要約】本発明はＵＭＴＳ‐ＦＤＤ無線通信システムでの中央無線通信装置から加入者へのデータ伝送方法に関する。ここで加入者固有の物理データチャネルのデータと加入者固有の物理制御チャネルの制御データとから多重プロセスにより加入者固有の物理伝送チャネルの情報信号が形成され、この情報信号が拡散され暗号化される。情報信号は入力データ信号として少なくとも２つの信号路へ達し、各信号路で入力データ信号と加入者固有の重み係数とが乗算されて重みづけデータ信号が形成され、各信号路で重みづけデータ信号とフィールドパターン固有のパイロット信号とが加算されてアンテナ信号が形成される。各信号路でアンテナ信号とフィールドパターン固有の重み係数とが乗算されて重みづけアンテナ信号が形成され、送信のためにアンテナ装置へ供給される。
2006504301.tif 000002
【特許請求の範囲】
【請求項１】
加入者固有の物理チャネルの情報信号（ＩＳ）を拡散および暗号化し、入力データ信号（ＥＤＳ）として少なくとも２つの信号路（ＳＰ１，ＳＰ２）へ供給し、
各信号路（ＳＰ１，ＳＰ２）で入力データ信号（ＥＤＳ）と加入者固有の重み係数（ｗＣＬ，１，ｗＣＬ，２）とを乗算して重みづけデータ信号（ＧＤＳ１，ＧＤＳ２）を形成し、
各信号路（ＳＰ１，ＳＰ２）で重みづけデータ信号（ＧＤＳ１，ＧＤＳ２）と共通のパイロット伝送チャネル（ＳＣＰＩＣＨ）のフィールドパターン固有のパイロット信号（Ｓ‐ＣＰＩＣＨ１，Ｓ‐ＣＰＩＣＨ２）とを加算してアンテナ信号（ＡＳ１，ＡＳ２）を形成し、
各信号路（ＳＰ１，ＳＰ２）でアンテナ信号（ＡＳ１，ＡＳ２）とフィールドパターン固有の重み係数（ｗＯＬ，１〜ｗＯＬ，４）とを乗算して重みづけアンテナ信号（ＧＡＳ，ＧＡＳ２）を形成し、
２つの信号路（ＳＰ１，ＳＰ２）の重みづけアンテナ信号（ＧＡＳ１，ＧＡＳ２）を送信のためにアンテナ装置（ＡＥ）へ供給する
ことを特徴とするＵＭＴＳ‐ＦＤＤ無線通信システムでの中央無線通信装置から加入者へのデータ伝送方法。
【請求項２】
アンテナ装置（ＡＥ）はアンテナエレメント（Ａｎｔ１〜Ａｎｔ８）から成っており、アンテナエレメントを介して重みづけアンテナ信号（ＧＡＳ１，ＧＡＳ２）を送信し、アンテナエレメント（Ａｎｔ１〜Ａｎｔ８）の少なくとも１つの第１のグループに第１の偏波部（ＰＯＬ１）を割り当て、少なくとも１つの第２のグループに第２の偏波部（ＰＯＬ２）を割り当てる、請求項１記載の方法。
【請求項３】
第１のグループの偏波部として第２のグループの偏波部に対して直交する偏波部（ＰＯＬ１；ＰＯＬ２）を割り当てるか、または２つのグループの偏波部（Ｐｏｌ１，Ｐｏｌ２）を同じものとする、請求項２記載の方法。
【請求項４】
第１の偏波部（ＰＯＬ１）として＋４５゜偏波部、第２の偏波部（ＰＯＬ２）として−４５゜偏波部を用いるか、または第１の偏波部（ＰＯＬ１）として水平偏波部、第２の偏波部（ＰＯＬ２）として垂直偏波部を用いる、請求項３記載の方法。
【請求項５】
アンテナ装置（ＡＥ）のアンテナエレメント（Ａｎｔ１〜Ａｎｔ８）から偏波ダイバーシティアンテナ装置または空間ダイバーシティアンテナ装置を形成する、請求項２から４までのいずれか１項記載の方法。
【請求項６】
第１の信号路（ＳＰ１）の重みづけアンテナ信号（ＧＡＳ１）を第１の偏波部（ＰＯＬ１）を介して送信し、第２の信号路（ＳＰ２）の重みづけアンテナ信号（ＧＡＳ２）を第２の偏波部（ＰＯＬ２）を介して送信する、請求項２から５までのいずれか１項記載の方法。
【請求項７】
加入者固有の重み係数（ｗＣＬ，１，ｗＣＬ，２）を、加入者固有の物理制御チャネル（ＤＰＣＣＨ）を介して形成された加入者（ＴＮ）から中央無線通信装置（ＮｏｄｅＢ）への加入者固有のコネクション（ＵＬ）に基づいて取得する、請求項１から６までのいずれか１項記載の方法。
【請求項８】
フィールドパターン固有の重み係数（ｗＯＬ，１〜ｗＯＬ，４）を加入者（ＴＮ）から中央無線通信装置（ＮｏｄｅＢ）への加入者固有のコネクション（ＵＬ）の無線伝送チャネルの推定に基づいて取得する、請求項１から７までのいずれか１項記載の方法。
【請求項９】
２つの信号路（ＳＰ１，ＳＰ２）のフィールドパターン固有のパイロット信号（Ｓ‐ＣＰＩＣＨ１，Ｓ‐ＣＰＩＣＨ２）を拡散符号として区別する、請求項１から８までのいずれか１項記載の方法。
【請求項１０】
加入者固有の物理データチャネル（ＤＰＤＣＨ）のデータと加入者固有の物理制御チャネル（ＤＰＣＣＨ）の制御データとから多重プロセスを用いて加入者固有の物理伝送チャネル（ＤＰＣＨ）の情報信号（ＩＳ）を形成する、請求項１から９までのいずれか１項記載の方法。
【請求項１１】
加入者固有の物理データチャネルとしてＤＰＤＣＨチャネルを使用し、加入者固有の物理制御チャネルとしてＤＰＣＣＨチャネルを使用し、加入者固有の物理伝送チャネルとしてＵＭＴＳ‐ＦＤＤ無線通信システムのＤＰＣＨチャネルを使用する、請求項１０記載の方法。
【請求項１２】
ＵＭＴＳ‐ＦＤＤ無線通信システムのＰＤＳＣＨ伝送チャネルまたはＨＳ‐ＰＤＳＣＨ伝送チャネルの加入者固有のデータ、またはＵＭＴＳ‐ＦＤＤ無線通信システムのＨＳ‐ＳＣＣＨ制御伝送チャネルの加入者固有の制御データから情報信号（ＩＳ）を形成する、請求項１から９までのいずれか１項記載の方法。
【請求項１３】
共通のパイロット伝送チャネルとしてＵＭＴＳ‐ＦＤＤ無線通信システムのＳＣＰＩＣＨチャネルを使用する、請求項１から１３までのいずれか１項記載の方法。
【発明の詳細な説明】
【技術分野】
【０００１】
本発明はＵＭＴＳ‐ＦＤＤ無線通信システムでの中央無線通信装置から加入者へのデータ伝送方法に関する。
【０００２】
"UMTS-FDD-Funkkommunikationssystem", Release '99には、中央無線通信装置ＮｏｄｅＢのそばに空間ダイバーシティアンテナ装置を形成している２つの送信アンテナの使用が標準化されている。２つの送信アンテナを介して加入者信号が中央無線通信装置から加入者へのダウンリンクで同時に送信され、ダイバーシティゲインにより無線伝送容量が高められる。
【０００３】
２つ以上の送信アンテナ、送信側に配置されたアンテナアレイまたはスマートアンテナ装置や、フィールドパターン（放射ダイアグラム）を形成するための信号処理アルゴリズム、すなわちビーム形成アルゴリズムについて、ＵＭＴＳ‐ＦＤＤ無線通信システムの中央無線通信装置での利用可能性が検討される。
【０００４】
ここでいわゆる“フィードバック情報”に基づくプロセスと“アップリンク情報”に基づくプロセスとが中央無線通信装置ＮｏｄｅＢから加入者へのデータ伝送に対して知られている。
【０００５】
クローズドループプロセス（閉ループプロセス）では中央無線通信装置ＮｏｄｅＢの側でデータ伝送用およびダウンリンクでの加入者信号の送信用の２つの送信アンテナが使用される。ダイバーシティゲインにより無線伝送容量の増大が達成される。このプロセスで導入される加入者とＮｏｄｅＢとのあいだでのフィードバック情報のシグナリングには僅かな付加コストしか要さない。
【０００６】
アップリンク情報に基づくプロセスとして例えばいわゆるグリッドオブビームプロセス（ビーム格子プロセス）が挙げられる。ＮｏｄｅＢの送信側ではゲインを高めるためにフィールドパターンの形成が行われる。このプロセスでは無線通信装置内の無線伝送容量の著しい増大が達成される。
【０００７】
本発明の課題は、ＵＭＴＳ‐ＦＤＤ無線通信システムでの中央無線通信装置から加入者へのデータ伝送方法を改善し、当該システムにおける無線伝送容量を高めることである。
【０００８】
この課題は請求項１の特徴部分に記載の構成により解決される。本発明の有利な実施形態は従属請求項に記載されている。
【０００９】
本発明ではクローズドループプロセスとグリッドオブビームプロセスとが相互に組み合わされる。これにより、フィールドパターン形成によるゲインの増大から無線伝送容量の増大が達成され、さらに送信側のアンテナダイバーシティによるダイバーシティゲインから無線伝送容量が増大される。送信側のアンテナダイバーシティは空間ダイバーシティアンテナ装置または偏波ダイバーシティアンテナ装置を用いて実現される。
【００１０】
本発明の特に有利な実施形態では、偏波ダイバーシティアンテナ装置において“デュアル偏波送信アンテナ”が使用される。これはアンテナケーシング内に別個に駆動される２つの偏波部が省スペースで配置されているものである。この種の送信アンテナにより小さな機械寸法を有するアンテナアレイまたはスマートアンテナが実現される。
【００１１】
本発明の特に有利な実施形態では、水平／垂直偏波アンテナまたは＋４５゜偏波部、−４５゜偏波部を有するＸ偏波アンテナが使用される。
【００１２】
加入者の密度の高い都市において無線を配分する場合、本発明の方法によって達成される高い無線伝送容量の利用が特に有利である。
【００１３】
以下に本発明の図示の実施例を詳細に説明する。図１には従来技術のデータ伝送のクロズドループプロセスのブロック図が示されている。図２には従来技術のデータ伝送のグリッドオブビームプロセスのブロック図が示されている。図３には本発明のデータ伝送プロセスのブロック図が示されている。
【００１４】
図１には従来技術のデータ伝送のクローズドループプロセスのブロック図が示されている。
【００１５】
"UMTS-FDD-Funkkommunicationssystem", Release '99にはいわゆる“デディケイテッドフィジカルコントロールチャネル”ＤＰＣＣＨの制御データがいわゆる“デディケイテッドフィジカルデータチャネル”ＤＰＤＣＨのアップリンクデータとともに多重プロセスによりいわゆる“デディケイテッドフィジカルチャネル”ＤＰＣＨの情報信号Ｉとしてまとめられることが記載されている。ＤＰＣＣＨは加入者固有の物理制御チャネルを形成しており、ＤＰＤＣＨは加入者固有の物理データチャネルを形成しており、ＤＰＣＨは加入者固有の物理伝送チャネルを形成している。
【００１６】
情報信号Ｉは拡散符号ＳＰＣ（スプレディングコード）および暗号化符号ＳＣＣ（スクランブリングコード）により拡散および暗号化され、これによりさらなる処理に対する入力信号Ｅ１が形成される。
【００１７】
ＮｏｄｅＢとして構成された中央無線通信装置のそばに空間ダイバーシティアンテナ装置の２つの送信アンテナＡｎｔ１，Ａｎｔ２が設けられている。各送信アンテナＡｎｔ１，Ａｎｔ２に対して入力信号Ｅ１と加入者固有の重み係数ｗ１，ｗ２とが乗算され、送信アンテナＡｎｔ１に対して重みづけアンテナ信号Ａ１が形成され、送信アンテナＡｎｔ２に対して重みづけアンテナ信号Ａ２が形成される。
【００１８】
加入者固有の重み係数ｗ１，ｗ２は装置ＷＧＥＮにより、装置ＦＢＩ‐ＧＥＮで得られたフィードバック情報ＦＢＩに基づいて形成される。フィードバック情報ＦＢＩはアップリンクコネクションから得られる。このコネクションは“デディケイテッドフィジカルデータチャネル”ＤＰＤＣＨ、すなわち加入者固有の物理データ伝送チャネルを介して形成される。
【００１９】
重みづけアンテナ信号Ａ１はいわゆる“コモンパイロットチャネル”ＣＰＩＣＨのパイロット信号ＣＰＩＣＨ１と加算され、送信のために送信アンテナＡｎｔ１へ供給される。他方で重みづけアンテナ信号Ａ２は“コモンパイロットチャネル”ＣＰＩＣＨのパイロット信号ＣＰＩＣＨ２と加算され、送信のために送信アンテナＡｎｔ２へ供給される。“コモンパイロットチャネル”ＣＰＩＣＨは共通のパイロット伝送チャネルを形成している。
【００２０】
このプロセスはＵＭＴＳ‐ＦＤＤシステムの標準化ドキュメントＴＳ２５．２１４の第７章に記載されている。さらなる情報は標準化ドキュメントＴＳ２５．２１１〜ＴＳ２５．２１５から得られる。
【００２１】
図２には従来技術によるデータ伝送のグリッドオブビームプロセスのブロック図が示されている。
【００２２】
図１と同様に“デディケイテッドフィジカルチャネル”ＤＰＣＨの情報信号Ｉが拡散符号ＳＰＣにより拡散され、暗号化符号ＳＣＣにより暗号化され、入力信号Ｅ２が形成される。入力信号Ｅ２は続いていわゆる“セカンダリコモンパイロットチャネル”Ｓ‐ＣＰＩＣＨのパイロット信号Ｓ‐ＣＰＩＣＨ１と加算され、アンテナ信号Ａ３が形成される。“セカンダリコモンパイロットチャネル”Ｓ‐ＣＰＣＩＨはフィールドパターンごとに加入者または加入者グループに割り当てられるチャネルであり、ＵＭＴＳ‐ＦＤＤシステムに対して標準化されている。
【００２３】
加算により形成されたアンテナ信号Ａ３は重み係数ｗＯＬ，１〜ｗＯＬ４と乗算され、形成された重みづけアンテナ信号Ａ４はアンテナアレイの全部で４つのアンテナＡｎｔ１〜Ａｎｔ４へ供給され、送信される。重み係数ｗＯＬ，１〜ｗＯＬ４は１つのベクトルｗ＊ＯＬを形成している。
【００２４】
重み係数ｗＯＬ，１〜ｗＯＬ４は装置ＢＦＷ‐ＧＥＮを用いてフィールドパターンごとに加入者からＮｏｄｅＢへのアップリンクコネクションの推定に基づいて取得される。
【００２５】
ここで説明しているプロセスは刊行物K.Hugl, J.Laurila, E.Bonek, 'DOWNLINK BEAMFORMING FOR FREQUENCY DIVISION DUPLEX SYSTEMS', in:Proceedings of Global Telecommunications Conference(GLOBECOM), Rio de Janeiro, December 1999またはP.Zetterberg, B.Ottersten, "The Spectrum Efficiency of a Basestation Antennas Array System for Spatially Selective Transmission", in:IEEE Transactions on Vehicular Technology, Vol.44, pp.651-660, Aug.1995またはK.Hugl, "Frequency Transformation Based Downlink Beamforming", in:Proceedings COST259/260, Joint Workshop Spatial Channel Models and Adaptive Antennas, April 1999, Vienna, Austria, pp.111-118に詳細に説明されている。
【００２６】
図３には本発明のデータ伝送プロセスのブロック図が示されている。
【００２７】
"UMTS-FDD-Funkkommunicationssystem", Release '99から、図１と同様に、“デディケイテッドフィジカルコントロールチャネル”ＤＰＣＣＨの制御データが“デディケイテッドフィジカルデータチャネル”ＤＰＤＣＨのアップリンクデータとともに多重プロセスにより“デディケイテッドフィジカルチャネル”ＤＰＣＨの情報信号ＩＳとしてまとめられることがわかる。ここでＤＰＣＣＨは加入者固有の物理制御チャネルを形成しており、ＤＰＤＣＨは加入者固有の物理データチャネルを形成しており、ＤＰＣＨは加入者固有の物理伝送チャネルを形成している。
【００２８】
情報信号ＩＳは拡散符号ＳＰＣ（スプレディングコード）および暗号化符号ＳＣＣ（スクランブリングコード）により拡散および暗号化され、これによりさらなる処理に対する入力信号Ｅ１が形成される。
【００２９】
ＮｏｄｅＢとして構成された中央無線通信装置のそばにアンテナエレメントＡｎｔ１〜Ａｎｔ８を備えたアンテナ装置ＡＥが設けられている。ここで第１のグループのアンテナエレメントＡｎｔ１〜Ａｎｔ４は第１の偏波部ＰＯＬ１に割り当てられており、第２のグループのアンテナエレメントＡｎｔ５〜Ａｎｔ８は第２の偏波部ＰＯＬ２に割り当てられている。ここで第１のグループのアンテナエレメントＡｎｔ１〜Ａｎｔ４は＋４５゜偏波部であり、第２のグループのアンテナエレメントＡｎｔ５〜Ａｎｔ８は−４５゜偏波部である。
【００３０】
ここでは本発明により割り当てられる第１の水平偏波部Ｐｏｌ１と第２の垂直偏波部Ｐｏｌ２とは図示されていない。アンテナ装置ＡＥの形成にデュアル偏波アンテナを使用することはその機械的寸法が小さいために特に有利である。
【００３１】
特に有利には、アンテナエレメントＡｎｔ１〜Ａｎｔ４およびアンテナエレメントＡｎｔ５〜Ａｎｔ８はデュアル偏波アンテナ装置としてまとめられている。この装置は特に小さな機械的必要面積で実現可能である。
【００３２】
また、図示されてはいないが、空間ダイバーシティアンテナ装置をアンテナ装置ＡＥとして使用してもよい。この場合にはアンテナエレメントＡｎｔ１〜Ａｎｔ８は等しく偏波されるが、第１のグループのアンテナエレメントＡｎｔ１〜Ａｎｔ４は空間的に第２のグループのアンテナエレメントＡｎｔ５〜Ａｎｔ８から分離されている。
【００３３】
各アンテナグループまたは各偏波部ＰＯＬ１，ＰＯＬ２にはそれぞれ１つずつ信号路ＳＰ１，ＳＰ２が割り当てられる。つまり第１のグループすなわち第１の偏波部ＰＯＬ１には第１の信号路ＳＰ１，第２のグループすなわち第２の偏波部ＰＯＬ２には第２の信号路ＳＰ２が割り当てられる。
【００３４】
入力データ信号ＥＤＳは第１の信号路ＳＰ１にも第２の信号路ＳＰ２にも供給される。第１の信号路ＳＰ１および第２の信号路ＳＰ２内では入力信号ＥＤＳと加入者固有の重み係数ｗＣＬ，１，ｗＣＬ，２とが乗算され、重みづけデータ信号ＧＤＳ１，ＧＤＳ２が形成される。重みづけデータ信号ＧＤＳ１，ＧＤＳ２にはそれぞれ個々の信号路ＳＰ１，ＳＰ２で“セカンダリコモンパイロットチャネル”ＳＣＰＩＣＨのフィールドパターン固有のパイロット信号Ｓ‐ＣＰＩＣＨ１，Ｓ‐ＣＰＩＣＨ２が加算され、アンテナ信号ＡＳ１，ＡＳ２が形成される。
【００３５】
アンテナ信号ＡＳ１，ＡＳ２は個々の信号路ＳＰ１，ＳＰ２内でフィールドパターン固有の重み係数ｗＯＬ，１〜ｗＯＬ，４と乗算され、重みづけアンテナ信号ＧＡＳ１，ＧＡＳ２が形成される。ここで重み係数ｗＯＬ，１〜ｗＯＬ，４は１つのベクトルｗ＊ＯＬを形成している。
【００３６】
第１の重みづけアンテナ信号ＧＡＳ１は第１の偏波部ＰＯＬ１を有する第１のグループのアンテナエレメントＡｎｔ１〜Ａｎｔ４へ供給されて送信される。一方第２の重みづけアンテナ信号ＧＡＳ２は第２の偏波部ＰＯＬ２を有する第２のグループのアンテナエレメントＡｎｔ５〜Ａｎｔ８へ供給されて送信される。
【００３７】
パイロット信号Ｓ‐ＣＰＩＣＨ１，Ｓ‐ＣＰＩＣＨ２はそれぞれ加入者側で検出および割り当てを行うための拡散符号によって区別される。
【００３８】
加入者固有の重み係数ｗＣＬ，１，ｗＣＬ，２は装置ＷＧＥＮ１により、装置ＦＢＩ‐ＧＥＮ１で得られたフィードバック情報ＦＢＩに基づいて形成される。フィードバック情報ＦＢＩはアップリンクコネクションから得られる。このコネクションは“デディケイテッドフィジカルデータチャネル”ＤＰＤＣＨ、すなわち加入者固有の物理データ伝送チャネルを介して形成される。このことについては例えば標準化ドキュメントＴＳ２５．２１４に詳細に説明されている。
【００３９】
フィールドパターン固有の重み係数ｗＯＬ，１〜ｗＯＬ４は装置ＢＦＷ‐ＧＥＮ１を用いてフィールドパターン固有で加入者からＮｏｄｅＢへのアップリンクコネクションの推定に基づいて取得される。このことについては図２の説明で挙げた刊行物に詳細に説明されている。
【００４０】
本発明の方法によれば、アンテナエレメントＡｎｔ１〜Ａｎｔ４から加入者ＴＮまたは複数の加入者から成る加入者グループへ＋４５゜偏波されたフィールドパターンが送信される。これに対してアンテナエレメントＡｎｔ５〜Ａｎｔ８からは加入者ＴＮまたは複数の加入者から成る加入者グループへ−４５゜偏波されたフィールドパターンが送信される。
【００４１】
図３の実施例の情報信号ＩＳは加入者固有に形成される。
【００４２】
図示されていないケース、すなわち情報信号ＩＳがＰＤＳＣＨ伝送チャネルまたはＨＳ‐ＰＤＳＣＨ伝送チャネルの加入者固有のデータまたはＨＳ‐ＳＣＣＨ制御伝送チャネルの加入者固有の制御データから形成される場合に対しても、本発明の方法を前述の場合と同様に適用することができる。この場合の情報信号ＩＳの形成については標準化ドキュメントＴＳ２５．２１１〜ＴＳ２５．２１５に説明されている。
【図面の簡単な説明】
【００４３】
【図１】従来技術のクローズドループプロセスのブロック図である。
【図２】従来技術のグリッドオブビームプロセスのブロック図である。
【図３】本発明のデータ伝送プロセスのブロック図である。
【図１】
2006504301.tif 000003
【図２】
2006504301.tif 000004
【図３】
2006504301.tif 000005
【手続補正書】
【提出日】平成16年7月27日(2004.7.27)
【手続補正１】
【補正対象書類名】特許請求の範囲
【補正対象項目名】全文
【補正方法】変更
【補正の内容】
【特許請求の範囲】
【請求項１】
加入者固有の情報信号（ＩＳ）を暗号化および拡散して入力データ信号（ＥＤＳ）として少なくとも２つの信号路（ＳＰ１，ＳＰ２）へ供給し、
各信号路（ＳＰ１，ＳＰ２）で入力データ信号（ＥＤＳ）と加入者固有の重み係数（ｗＣＬ，１，ｗＣＬ，２）とを乗算して重みづけデータ信号（ＧＤＳ１，ＧＤＳ２）を形成し、ここで当該の重み係数（ｗＣＬ，１，ｗＣＬ，２）を加入者から中央無線通信装置へのアップリンクコネクションから取得し、
各信号路（ＳＰ１，ＳＰ２）で重みづけデータ信号（ＧＤＳ１，ＧＤＳ２）とフィールドパターン固有のパイロット信号（ＳＣＰＩＣＨ１，ＳＣＰＩＣＨ２）とを加算してアンテナ信号（ＡＳ１，ＡＳ２）を形成し、
各信号路（ＳＰ１，ＳＰ２）でアンテナ信号（ＡＳ１，ＡＳ２）とフィールドパターン固有の重み係数（ｗＯＬ，１〜ｗＯＬ，４）とを乗算して重みづけアンテナ信号（ＧＡＳ，ＧＡＳ２）を形成し、ここで当該の重み係数（ｗＯＬ，１〜ｗＯＬ，４）を加入者から中央無線通信装置へのアップリンクコネクションに基づいて推定し、
第１の信号路（ＳＰ１）の重みづけアンテナ信号（ＧＡＳ１）をアンテナエレメントの第１のグループ（Ａｎｔ１〜Ａｎｔ４）へ送信のために供給し、第２の信号路（ＳＰ２）の重みづけアンテナ信号（ＧＡＳ２）をアンテナエレメントの第１のグループ（Ａｎｔ５〜Ａｎｔ８）へ送信のために供給し、
第１のグループおよび第２のグループのアンテナエレメント（Ａｎｔ１〜Ａｎｔ８）は偏波ダイバーシティアンテナ装置または空間ダイバーシティアンテナ装置を形成している
ことを特徴とするＵＭＴＳ‐ＦＤＤ無線通信システムでの中央無線通信装置から加入者へのデータ伝送方法。
【請求項２】
第１のグループのアンテナエレメントに第１の偏波部（ＰＯＬ１）を割り当て、第２のグループのアンテナエレメントに第２の偏波部（ＰＯＬ２）を割り当てる、請求項１記載の方法。
【請求項３】
第１のグループの偏波部として第２のグループの偏波部に対して直交する偏波部（ＰＯＬ１；ＰＯＬ２）を割り当てるか、または２つのグループの偏波部（Ｐｏｌ１，Ｐｏｌ２）を同じものとする、請求項２記載の方法。
【請求項４】
第１の偏波部（ＰＯＬ１）として＋４５゜偏波部、第２の偏波部（ＰＯＬ２）として−４５゜偏波部を用いるか、または第１の偏波部（ＰＯＬ１）として水平偏波部、第２の偏波部（ＰＯＬ２）として垂直偏波部を用いる、請求項３記載の方法。
【請求項５】
第１の信号路（ＳＰ１）の重みづけアンテナ信号（ＧＡＳ１）を第１の偏波部（ＰＯＬ１）を介して送信し、第２の信号路（ＳＰ２）の重みづけアンテナ信号（ＧＡＳ２）を第２の偏波部（ＰＯＬ２）を介して送信する、請求項２から４までのいずれか１項記載の方法。
【請求項６】
加入者固有の重み係数（ｗＣＬ，１，ｗＣＬ，２）を加入者固有の物理制御チャネル（ＤＰＣＣＨ）によるアップリンクコネクション（ＵＬ）に基づいて取得する、請求項１から５までのいずれか１項記載の方法。
【請求項７】
フィールドパターン固有の重み係数（ｗＯＬ，１〜ｗＯＬ，４）を加入者（ＴＮ）から中央無線通信装置（ＮｏｄｅＢ）への加入者固有のコネクション（ＵＬ）の無線伝送チャネルの推定に基づいて取得する、請求項１から６までのいずれか１項記載の方法。
【請求項８】
２つの信号路（ＳＰ１，ＳＰ２）のフィールドパターン固有のパイロット信号（ＳＣＰＩＣＨ１，ＳＣＰＩＣＨ２）を拡散符号として区別する、請求項１から７までのいずれか１項記載の方法。
【請求項９】
加入者固有の物理データチャネル（ＤＰＤＣＨ）のデータと加入者固有の物理制御チャネル（ＤＰＣＣＨ）の制御データとから多重プロセスを用いて加入者固有の物理伝送チャネル（ＤＰＣＨ）の情報信号（ＩＳ）を形成する、請求項１から８までのいずれか１項記載の方法。
【請求項１０】
加入者固有の物理データチャネルとしてＤＰＤＣＨチャネルを使用し、加入者固有の物理制御チャネルとしてＤＰＣＣＨチャネルを使用し、加入者固有の物理伝送チャネルとしてＵＭＴＳ‐ＦＤＤ無線通信システムのＤＰＣＨチャネルを使用する、請求項９記載の方法。
【請求項１１】
ＵＭＴＳ‐ＦＤＤ無線通信システムのＰＤＳＣＨ伝送チャネルまたはＨＳ‐ＰＤＳＣＨ伝送チャネルの加入者固有のデータまたはＵＭＴＳ‐ＦＤＤ無線通信システムのＨＳ‐ＳＣＣＨ制御伝送チャネルの加入者固有の制御データから情報信号（ＩＳ）を形成する、請求項１から８までのいずれか１項記載の方法。
【請求項１２】
共通のパイロット伝送チャネルとしてＵＭＴＳ‐ＦＤＤ無線通信システムのＳＣＰＩＣＨチャネルを使用する、請求項１から１１までのいずれか１項記載の方法。
【手続補正２】
【補正対象書類名】明細書
【補正対象項目名】０００６
【補正方法】変更
【補正の内容】
【０００６】
アップリンク情報に基づくプロセスとして例えばいわゆるグリッドオブビームプロセス（ビーム格子プロセス）が挙げられる。ＮｏｄｅＢの送信側ではゲインを高めるためにフィールドパターンの形成が行われる。このプロセスでは無線通信装置内の無線伝送容量の著しい増大が達成される。
欧州公開第１２２９６６９号明細書から、ＱＰＳＫ変調ベースバンド信号が２つのパスで供給される通信システムが公知である。第１の信号路ではＱＰＳＫ変調ベースバンド信号といわゆる“パス１‐パイロット”とが多重プロセスにより重畳される。重畳信号は第１の符号で暗号化され、第１の拡散符号で拡散される。続いてビーム形成プロセスが適用される。これと並行して第２の信号路ではＱＰＳＫ変調ベースバンド信号といわゆる“パス２‐パイロット”とが多重プロセスにより重畳される。重畳信号は第２の符号で暗号化され、第２の拡散符号で拡散される。続いてここにもビーム形成プロセスが適用される。２つのビーム形成器からのそれぞれの出力信号は加算器で重畳され、搬送周波数帯域へ変換され、アンテナを介して送信される。


【国際調査報告】
2006504301.tif 000006
2006504301.tif 000007
2006504301.tif 000008
2006504301.tif 000009
2006504301.tif 000010
2006504301.tif 000011